(57)【要約】【課題】  眼帯、特に、内部にガーゼなどのような直接眼の部分を覆うパッドを収容して使用する保護眼帯において、軽量で安価に提供可能なことは云うまでもなく、確実に装着可能で装着後にずれたりする心配がなく、更に装着感も良好とする。【解決手段】  眼覆部分２と、この眼覆部分２に連続して形成される前記眼覆部分２よりも幅狭の支持部分３とを有していること、殊に、前記眼覆部分２から支持部分３へと幅が収束して正面が略茄子形を呈していると良い。【選択図】      図１
2005261634.tif 000002
【特許請求の範囲】
【請求項１】
眼覆部分と、この眼覆部分に連続して形成される前記眼覆部分よりも幅狭の支持部分とを有していることを特徴とする保護眼帯。
【請求項２】
前記眼覆部分から支持部分へと幅が収束して正面が略茄子形を呈している請求項１記載の保護眼帯。
【請求項３】
眼覆部分及び支持部分が内側方向へ湾曲している請求項１又は２に記載の保護眼帯。
【請求項４】
外周縁に沿って緩衝部材が付設されている請求項１，２又は３記載の保護眼帯。
【発明の詳細な説明】
【技術分野】
【０００１】
本発明は、眼帯、特に、内部にガーゼなどのような直接眼の部分を覆うパッドを収容して使用する保護眼帯に関するものである。
【背景技術】
【０００２】
従来、例えば手術や治療後に外的な障害から眼を保護する目的で眼帯が用いられているが、従来、例えば実開昭６２−９７６２６号公報の従来例に提示されているような眼帯が用いられている。
【０００３】
前記公報に提示されている眼帯は、適宜硬質を有する板状の保護眼帯の内面に例えばガーゼの積層体のような術後の分泌液などを吸収するための吸湿性のパッドを内面に収容した状態で使用するものである。
【０００４】
そして、前記眼帯を構成する保護眼帯は、図６に示すように、左右対称の略逆三角形に形成され、多数形成された透孔に紐を通して、或いは包帯やバンドなどを用いて頭に巻き付けるか、或いは、周縁部を介して絆創膏などの粘着テープで顔面に止着するものであった。
【０００５】
しかしながら、前記従来の保護眼帯は、眼の部分を覆う外形を呈しており、特に外周部分を眼窩の外周縁に当接させた状態で顔面に支持させるものであり、顔面への接触面積が少なく、安定した状態で装着することが困難であり、睡眠時などに装着位置がずれたり、外れたりする心配がある。殊に、装着位置がずれただけでも、頂角の部分が術後や治療後の眼に当たって痛いばかりか傷を付けたり、治りが遅くなったりすることにもなりかねない。
【０００６】
【特許文献１】実開昭６２−９７６２６号公報
【発明の開示】
【発明が解決しようとする課題】
【０００７】
本発明が解決しようとする課題は、軽量で安価に提供可能なことは云うまでもなく、確実に装着可能で装着後にずれたりする心配がなく、更に装着感も良好な保護眼帯を提供することでである。
【課題を解決するための手段】
【０００８】
本発明は前記課題を解決するためになされたもので、眼覆部分と、この眼覆部分に連続して形成される前記眼覆部分よりも幅狭の支持部分とを有していることを特徴とする。
【０００９】
また、前記眼覆部分から支持部分へと幅が収束して正面が略茄子形を呈している場合、眼覆部分及び支持部分が内側方向へ湾曲している場合、外周縁に沿って緩衝部材が付設されている場合には更に好ましい。
【発明の効果】
【００１０】
眼の部分を覆うための眼覆部分だけでなく、この眼覆部分に連続して形成される前記眼覆部分よりも幅狭の支持部分も顔面に当接するので、顔面に接する面積が拡大して安定した状態で支持される。
【００１１】
また、顔面における眼の部分に沿って配置される眼覆部分だけを介して顔面支持するのではなく、連続して形成されている支持部分も使って顔面に支持することが可能であり、特に、それぞれに適した紐や絆創膏、包帯など固定具をそれぞれ別に使用することができるので両者の支持作用が相俟ってきわめて安定した状態で固定することができる。
【発明を実施するための最良の形態】
【００１２】
次に、本発明を実施するための最良の形態について図面を参照して説明する。      
【００１３】
図１は本発明についての好ましい実施の形態を示すものであり、保護眼帯１は、例えば、アルミニウムのような可塑性を有する金属の薄板のような軽量で且つ外敵から眼を保護することが可能な剛性を有するとともに安価に提供可能な材料で形成され、眼の部分を覆うための眼覆部分２と、この眼覆部分２に連続して形成される前記眼覆部分２よりも幅狭の支持部分３とを有しており、本実施の形態では眼覆部分２から支持部分３へと幅が収束して正面が略茄子形を呈している。
【００１４】
また、保護眼帯１には通気性、或いは術後などの視力回復訓練のため、更には装着時に紐を通すために用いられる多数の透孔４が穿設されているとともに外周縁は顔面が傷着かないように面取又は折り返し部が形成されている。
【００１５】
更に、保護眼帯１は図２に示すように内側に向けて予め湾曲している。特に、眼覆部分２は内側にガーゼなどのパッドを収容するので凹部が形成されていると好ましく（図示せず）、支持部分にわたっては、例えば、前頭骨、頬骨から側頭骨の湾曲にほぼ合わせておくと良い。
【００１６】
次に本実施の形態についての使用方法について説明する。
【００１７】
図３は本実施の形態についての装着手段の一例を示すものであり、眼覆部分２の部分を覆う側の眼（例えば左側）に当てて支持部分３を左側の頬骨から側頭骨部へ向けて当接した状態で、前頭骨から頭頂骨、更には顎骨の付け根部分にわたって斜めに巻掛けた適宜の伸縮性を有する環状バンドからなる止着部材５により装着するものである。尚、眼覆部分２及び支持部分３は可塑性を有しているので被装着者の顔面に合わせて適宜湾曲度合いを手で調節できるので隙間なくぴったりと顔面に当設させることができる。
【００１８】
本装着手段によれば、従来の保護眼帯と異なり、眼覆部分２だけでなく、眼覆部分２に連続する支持部分３を含めて顔面に接触するので接触面積が拡大し、きわめて安定した状態で装着することができことは云うまでもなく、伸縮性を有する環状のバンドからなる止着部材５により装着するのできわめて簡単に装着することができる。特に、本実施の形態のように止着部材５における保護眼帯１の押え部５１を幅広くしておくことにより眼覆部分２と支持部分３を含めて覆うことができ、より安定した状態で装着することができる。
【００１９】
尚、本装着手段では、伸縮性を有する環状の帯体からなる止着部材５を用いたので一動作で装着が可能であり、きわめて便利で看護士など装着する者の技術も要しないが、例えば包帯など既存の帯体或いは前記従来例に示されているように孔に通した紐を用いてもよい。また、止着部材５は短尺の帯体からなる補助部材５２をその両端において固着することにより保護眼帯１の押え部５１を幅広にしたため、幅が広がるだけでなく保護眼帯１を顔面に押さえる力も発揮するので確実に固定することができるが、保護眼帯１そのものの接触面積が広いので安定した状態で装着することができる。更に、止着部材５から露出している支持部分３を絆創膏のような粘着テープ６により止着してもよく、この場合には更に安定する。更にまた、本装着例では支持部分３の軸線を横方向、即ち、頬骨から側頭骨部へ向けて当接したが、上方向、即ち、前頭骨方向或いは前頭骨と側頭骨部との中間部分、更には下方向、即ち、頬骨方向へ向けて配置しても良いことは云うまでもなく、それらの場合にも隙間なく当接するように適宜の形状に屈曲させて使用するとよい。
【００２０】
図４は図１及び図２に示した実施の形態の異なる装着手段を示すものであり、伸縮性を有する環状のバンドからなる止着部材５を用いた点は前記図３に示したむ装着手段と同様であるが、保護眼帯１を支持部分３を上方、即ち前頭骨方向へ向けて当接させたことと、支持部分３を固定するための第２の止着部材７を使用する点が異なる。
【００２１】
更に詳しく説明すると、第２の止着部材７は前記止着部材５と同様に伸縮性を有する環状の帯体からなるとともに、一部に保護眼帯１の支持部分３を挿入支持するための軸線と直交する方向に開口する環状の差込み固定部７１を有している。この差込み固定部７１は服地の芯材のように比較的硬めの布地により形成されているとともに内側、つまり、支持部分３を挿入部に例えば面ファスナーのフック部やゴム材のような粘着材などのような滑り止め加工が施されていると良い。
【００２２】
装着するには、まず、図４（ａ）に示すように、第２の止着部材７を差込み固定部７１が被覆する眼の上方に位置するようにして装着する。特に本装着例では第２の止着部材７は伸縮性を有する環状の帯体からなるので拡げた状態で頭に通すだけで簡単に装着できる。次に、図４（ｂ）に示すように、支持部分３を第２の止着部材７に差し込んだ状態で眼覆部分２で眼を覆う位置に固定する。そして、図４（ｃ）に示すように、前記図３に示した場合と同様に止着部材５を用いて更に止着する。
【００２３】
本装着手段によれば、保護眼帯１は止着部材５により確実に止着されるばかりか、更に第２の止着部材７により固定されるので、更に強固に止着され、就寝中といえどもずれる心配がない。
【００２４】
また、図５は本発明の異なる実施の形態を示すものであり、全体の構成は前記図１及びず２に示した実施の形態と同様であるが、外周縁に例えばポリウレタン樹脂やゴム材、各種の剛性樹脂フォーム等適宜の弾性を有する緩衝部材８が付設されている。従って、肌への接触感がソフトで良好な装着感が得られるものである。尚、これらの緩衝部材８は一般に摩擦係数も大きいことから滑り止め効果を有し、装着後のずれ防止にも役立つ。
【００２５】
尚、前記各実施の形態は、眼覆部分２から支持部分３へと幅が連続して収束して正面が略茄子形を呈しているのでデザイン的にも優れているとともに、外周縁に凹部が形成されていないので強度的に弱い部分がなく、安定した状態で装着することができる。また、外周縁に凹凸が形成されないので顔面等に傷を作る心配もなく、成形も容易である。
【００２６】
また、前記各実施の形態は、アルミニウムのような軽金属により形成されているが適宜の可塑性を有していれば合成樹脂など他の素材により形成しても良い。
【図面の簡単な説明】
【００２７】
【図１】本発明の好ましい実施の形態を示す正面図。
【図２】図２に示した実施の形態の平面図。
【図３】図１及び図２に示した実施の形態の装着状態を示す説明図。
【図４】図１及び図２に示した実施の形態の異なる装着状態を示す説明図。
【図５】本発明の異なる実施の形態を示す正面図。
【図６】従来例を示す説明図。
【符号の説明】
【００２８】
１  保護眼帯、２  眼覆部分、３  支持部分、８  緩衝部材
【図１】
2005261634.tif 000003
【図２】
2005261634.tif 000004
【図３】
2005261634.tif 000005
【図４】
2005261634.tif 000006
【図５】
2005261634.tif 000007
【図６】
2005261634.tif 000008